(57)【要約】【課題】親水性のシートが汗を吸収した後でも、肌側の表面がべたつくことなく、汗の蒸散が促される吸収性物品を提供すること。【解決手段】吸収性本体（１０）と、腹側胴回り部（３０ａ）及び背側胴回り部（３０ｂ）を有する外装体（３０）と、を有する吸収性物品（１０）であって、外装体（３０）は、厚さ方向において、第１疎水性シート（３０１）と、第１疎水性シート（３０１）よりも非肌側に配置された第２疎水性シート（３０２）と、第１及び第２疎水性シート（３０１、３０２）の間に設けられた親水性シート（３０３）とを有し、外装体（３０）は、少なくとも一部の領域において、親水性シート（３０３）の非肌側面（３０３ａ）と第２疎水性シート（３０２）の肌側面（３０２ａ）とが接触し、同領域において、第１疎水性シート（３０１）の密度は、前記第２疎水性シート（３０２）の密度よりも高い。【選択図】図４
2020127538.tif 000002
【特許請求の範囲】
【請求項１】
展開状態において互いに交差する長手方向と幅方向と厚さ方向とを有し、
液体を吸収する吸収性本体と、
前記吸収性本体の前記長手方向の一端側に位置する腹側胴回り部と、前記吸収性本体の前記長手方向の他端側に位置する背側胴回り部とを有する外装体と、
を有する吸収性物品であって、
前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、
前記外装体は、少なくとも一部の領域において、前記親水性シートの非肌側面と前記第２疎水性シートの肌側面とが接触しており、
前記少なくとも一部の領域において、前記第１疎水性シートの密度は、前記第２疎水性シートの密度よりも高い
ことを特徴とする吸収性物品。
【請求項２】
請求項１に記載の吸収性物品であって、
前記第１疎水性シートは、ポリエチレン及びポリプロピレンのうち、少なくともいずれか一方を含む
ことを特徴とする吸収性物品。
【請求項３】
請求項１又は２に記載の吸収性物品であって、
前記第１疎水性シートの密度は、０．０５〜０．１５ｇ／ｃｍ3である
ことを特徴とする吸収性物品。
【請求項４】
請求項１から請求項３のいずれか１項に記載の吸収性物品であって、
前記親水性シートは、パルプ繊維を含む
ことを特徴とする吸収性物品。
【請求項５】
請求項１から請求項４のいずれか１項に記載の吸収性物品であって、
前記少なくとも一部の領域において、前記親水性シートの密度は、前記第１疎水性シートの密度よりも高い
ことを特徴とする吸収性物品。
【請求項６】
請求項１から請求項５のいずれか１項に記載の吸収性物品であって、
前記親水性シートは、抗菌剤を含み、
前記抗菌剤は、塩化セチルピリジニウム又はカテキンを含む
ことを特徴とする吸収性物品。
【請求項７】
請求項１から請求項６のいずれか１項に記載の吸収性物品であって、
前記第１疎水性シートと前記親水性シートとは、ホットメルト接着剤により、線状または点状に接合されている
ことを特徴とする吸収性物品。
【請求項８】
請求項１から請求項７のいずれか１項に記載の吸収性物品であって、
前記第１疎水性シートと、前記第２疎水性シートと、前記親水性シートとが前記長手方向に重複する領域において、前記第１疎水性シートと前記第２疎水性シートとの間には、前記幅方向に伸縮する弾性部材が設けられている
ことを特徴とする吸収性物品。
【請求項９】
請求項８に記載の吸収性物品であって、
前記弾性部材は、前記長手方向に並んで複数設けられており、
前記長手方向に隣り合う二つの前記弾性部材の間の距離は、前記弾性部材自体の前記長手方向の長さの２倍よりも長い
ことを特徴とする吸収性物品。
【請求項１０】
請求項１から請求項９のいずれか１項に記載の吸収性物品であって、
前記親水性シートは、ティッシュであり、
前記ティッシュは、前記第１疎水性シートと前記第２疎水性シートとの間において、前記幅方向の一端から他端にわたって連続して設けられ、
前記腹側胴回り部の前記幅方向の一端部と前記背側胴回り部の前記幅方向の一端部とを接合する第１接合部と、前記腹側胴回り部の前記幅方向の他端部と前記背側胴回り部の前記幅方向の他端部とを接合する第２接合部とが設けられる
ことを特徴とする吸収性物品。
【請求項１１】
請求項１から請求項１０のいずれか１項に記載の吸収性物品であって、
前記第１疎水性シートと、前記親水性シートと、前記第２疎水性シートとが前記厚さ方向に見て重複する領域において、前記第１疎水性シート及び前記第２疎水性シートの少なくとも一方は、開口を有している
ことを特徴とする吸収性物品。
【請求項１２】
請求項１から請求項１１のいずれか１項に記載の吸収性物品であって、
前記親水性シートは、前記第１疎水性シート又は前記第２疎水性シートの色とは異なる色の着色領域を有する
ことを特徴とする吸収性物品。
【請求項１３】
請求項１から請求項１２のいずれか１項に記載の吸収性物品であって、
前記外装体の少なくとも一部の領域は、前記第１疎水性シート、前記第２疎水性シート及び前記親水性シートのみを有する領域である
ことを特徴とする吸収性物品。
【発明の詳細な説明】
【技術分野】
【０００１】
本発明は、吸収性物品に関する。
【背景技術】
【０００２】
尿などの排泄物を吸収する吸収性物品として使い捨ておむつ等が知られている。例えば、特許文献１には、おむつ着用者の肌に当接するおむつの内面側に吸汗性シートを設け、おむつの着用中に吸汗性シートの表面積が実質的に減少することなく、その機能を維持する使い捨ておむつを開示している。
【先行技術文献】
【特許文献】
【０００３】
【特許文献１】特開２００７−２５９８７４号
【発明の概要】
【発明が解決しようとする課題】
【０００４】
特許文献１のおむつでは、吸汗性のシートを着用者の肌と接触するおむつの内側面に設けているため、吸汗性シートが肌に直接当たり、汗を吸収した際に肌にべたつきを起こし、着用者に不快感を与える虞がある。また、当該吸汗性シートは親水性繊維を含んでいるため、それによって汗の吸収・保持が行われるが、吸収できる以上の汗をかいた場合、汗戻りしてしまう可能性がある。
【０００５】
本発明は、上記のような従来の問題に鑑みてなされたものであって、その目的は、親水性のシートが汗を吸収した後でも、肌側の表面がべたつくことなく、汗の蒸散が促される吸収性物品を提供することにある。
【課題を解決するための手段】
【０００６】
上記目的を達成するための主たる発明は、展開状態において互いに交差する長手方向と幅方向と厚さ方向とを有し、液体を吸収する吸収性本体と、前記吸収性本体の前記長手方向の一端側に位置する腹側胴回り部と、前記吸収性本体の前記長手方向の他端側に位置する背側胴回り部とを有する外装体と、を有する吸収性物品であって、前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、前記外装体は、少なくとも一部の領域において、前記親水性シートの非肌側面と前記第２疎水性シートの肌側面とが接触しており、
前記少なくとも一部の領域において、前記第１疎水性シートの密度は、前記第２疎水性シートの密度よりも高いことを特徴とする吸収性物品である。
本発明の他の特徴については、本明細書及び添付図面の記載により明らかにする。
【発明の効果】
【０００７】
本発明によれば、親水性のシートが汗を吸収した後でも、肌側の表面がべたつくことなく、汗の蒸散が促される吸収性物品を提供できる。
【図面の簡単な説明】
【０００８】
【図１】パンツ型使い捨ておむつ１の概略斜視図である。
【図２】展開且つ伸長状態のおむつ１を肌側から見た概略平面図である。
【図３】図２中のＣ−Ｃ概略断面図である。
【図４】図４Ａは、図１中のＡ−Ａ線に沿った腹側の概略断面図であり、図４Ｂは、図１中のＡ−Ａ線に沿った背側の概略断面図である。
【図５】図５Ａは、図１中のＢ−Ｂ線に沿った腹側の概略断面図であり、図５Ｂは、図１中のＢ−Ｂ線に沿った背側の概略断面図である。
【発明を実施するための形態】
【０００９】
本明細書及び添付図面の記載により、少なくとも以下の事項が明らかとなる。
展開状態において互いに交差する長手方向と幅方向と厚さ方向とを有し、液体を吸収する吸収性本体と、前記吸収性本体の前記長手方向の一端側に位置する腹側胴回り部と、前記吸収性本体の前記長手方向の他端側に位置する背側胴回り部とを有する外装体と、を有する吸収性物品であって、前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、前記外装体は、少なくとも一部の領域において、前記親水性シートの非肌側面と前記第２疎水性シートの肌側面とが接触しており、前記少なくとも一部の領域において、前記第１疎水性シートの密度は、前記第２疎水性シートの密度よりも高いことを特徴とする吸収性物品である。
【００１０】
このような吸収性物品によれば、外装体の第１疎水性シートと第２疎水性シートとの間に親水性シートを設けた部分においては、肌から出た汗は、第１疎水性シートを通過し、親水性シートで吸収され、さらに非肌側に位置する第２疎水性シートを介して蒸散される。第１疎水性シートの密度よりも低密度である第２疎水性シートは、第１疎水性シートよりも通気性に優れ、第２疎水性シート側からの汗の蒸散・気化を起こり易くさせる。肌側のシートが疎水性を有する第１疎水性シートであることから、汗が通った後もシートの表面がべた付かず、また、第２疎水性シートからは汗が抜けやすいため、着用者は快適に過ごすことができる。
【００１１】
かかる吸収性物品であって、前記第１疎水性シートは、ポリエチレン及びポリプロピレンのうち、少なくともいずれか一方を含むことが望ましい。
【００１２】
このような吸収性物品によれば、吸水率が低いポリエチレン及びポリプロピレンのうち、少なくともいずれか一方を含む第１疎水性シートによって、肌に接するシート表面をドライに保つことができる。これにより、着用者がべたつき感を感じることなく、快適に過ごすことができる。
【００１３】
かかる吸収性物品であって、前記第１疎水性シートの密度は、０．０５〜０．１５ｇ／ｃｍ3であることが望ましい。
【００１４】
このような吸収性物品によれば、肌側に配置される第１疎水性シートの密度を高くすることで、密度が低く通気性に優れた第２疎水性シート側（非肌側）からの汗の蒸散を促進できる。
【００１５】
かかる吸収性物品であって、前記親水性シートは、パルプ繊維を含むことが望ましい。
【００１６】
このような吸収性物品によれば、親水性シートの汗の吸収性が向上し、第１疎水性シートを通った汗が親水性シートに吸収されることで、肌側面である第１疎水性シートの表面のべたつきを抑制する。
【００１７】
かかる吸収性物品であって、前記少なくとも一部の領域において、前記親水性シートの密度は、前記第１疎水性シートの密度よりも高いことが望ましい。
【００１８】
このような吸収性物品によれば、親水性シートの非肌側面と第２疎水性シートの肌側面とが接触する少なくとも一部の領域においては、各シートの密度の関係は、親水性シートが最も高く、第２疎水性シートが最も低くなる（すなわち、親水性シート、第１疎水性シート、第２疎水性シートの順で密度が低くなっている）。汗は密度が高い方へと引き込まれることから、汗は、第１疎水性シートを通って親水性シート側へ引き込まれ易くなる。汗の移行性を向上させることで、肌側面のべたつき等の不快感や皮膚トラブルを防止できる。そして、最も密度の低い第２疎水性シートは、通気性に優れていることから、親水性シートに吸収された汗は、親水性シートよりも非肌側面に配置されている第２疎水性シート側から蒸散され、汗が抜け易くなる。
【００１９】
かかる吸収性物品であって、前記親水性シートは、抗菌剤を含み、前記抗菌剤は、塩化セチルピリジニウム又はカテキンを含むことが望ましい。
【００２０】
このような吸収性物品によれば、抗菌剤によって汗に含まれる雑菌の繁殖を抑え、汗を吸収した親水性シートを衛生的に保つことができる。
【００２１】
かかる吸収性物品であって、前記第１疎水性シートと前記親水性シートとは、ホットメルト接着剤により、線状または点状に接合されていることが望ましい。
【００２２】
このような吸収性物品によれば、第１疎水性シートと親水性シートとを線状または点状に接合することで一体化しつつも、第１疎水性シートからの汗の通過を必要以上に妨げず、また、親水性シートを構成するパルプ繊維の吸収性を阻害しない。したがって、第１疎水性シート及び親水性シート本来の機能を阻害せずに汗を吸収でき、着用者に不快感を与えない。
【００２３】
かかる吸収性物品であって、前記第１疎水性シートと、前記第２疎水性シートと、前記親水性シートとが前記長手方向に重複する領域において、前記第１疎水性シートと前記第２疎水性シートとの間には、前記幅方向に伸縮する弾性部材が設けられていることが望ましい。
【００２４】
このような吸収性物品によれば、第１疎水性シート、親水性シート、及び第２疎水性シートが一体的に収縮することで、着用者の肌に直接接触する面積を減らし、弾性部材の跡が肌に付きにくくなり、不快感が軽減される。また、親水性シートに弾性部材が存在しない状態（シートが収縮せずに広がった状態）と比較して、親水性シートが幅方向に収縮することで汗を吸収する親水性シートの面積が増え、汗の吸収性が向上し、より快適に過ごすことができる。
【００２５】
かかる吸収性物品であって、前記弾性部材は、前記長手方向に並んで複数設けられており、前記長手方向に隣り合う二つの前記弾性部材の間の距離は、前記弾性部材自体の前記長手方向の長さの２倍よりも長いことが望ましい。
【００２６】
このような吸収性物品によれば、長手方向に隣り合う二つの弾性部材の間の距離を、弾性部材自体の長手方向の長さの２倍以下にする場合と比較して、弾性部材自体の長手方向の長さの２倍よりも長くする方が、長手方向において弾性部材３５ａ、３５ａ間に適度な空間が生まれ、各弾性部材によって汗の吸収や蒸散が阻害されない。
【００２７】
かかる吸収性物品であって、前記親水性シートは、ティッシュであり、前記ティッシュは、前記第１疎水性シートと前記第２疎水性シートとの間において、前記幅方向の一端から他端にわたって連続して設けられ、前記腹側胴回り部の前記幅方向の一端部と前記背側胴回り部の前記幅方向の一端部とを接合する第１接合部と、前記腹側胴回り部の前記幅方向の他端部と前記背側胴回り部の前記幅方向の他端部とを接合する第２接合部とが設けられることが望ましい。
【００２８】
このような吸収性物品によれば、親水性シートが、薄く且つ繊維の短いティッシュからなることから、幅方向における端部の接合を阻害せず、接合部の強度を確保できる。つまり、第１疎水性シートと、親水性シートと、第２疎水性シートとを含む腹側及び背側胴回り部の幅方向の両端部を熱溶着（ヒートシール）等により接合させる際、接合部分でティッシュの繊維が容易に切断されるため、第１疎水性シートと第２疎水性シートとを確実に接合できる。これにより、接合部の接合強度の低下を防止できる。
【００２９】
かかる吸収性物品であって、前記第１疎水性シートと、前記親水性シートと、前記第２疎水性シートとが前記厚さ方向に見て重複する領域において、前記第１疎水性シート及び前記第２疎水性シートの少なくとも一方は、開口を有していることが望ましい。
【００３０】
このような吸収性物品によれば、第１疎水性シートのみが開口を有する場合、開口部分から汗を引き込み、親水性シート側への汗の移行性を向上させる。それにより、第１疎水性シートの表面のべたつき感が生じ難くなり、肌を快適に保つことができる。第２疎水性シートのみが開口を有する場合、汗の蒸散がより促され、蒸れを防止できる。また、第１及び第２疎水性シートの両方が開口を有する場合には、汗の吸収と蒸散の両方が促進され、着用者の肌をより快適に保つことができる。
【００３１】
かかる吸収性物品であって、前記親水性シートは、前記第１疎水性シート又は前記第２疎水性シートの色とは異なる色の着色領域を有することが望ましい。
【００３２】
このような吸収性物品によれば、親水層（親水性シート）の存在が視認でき、おむつとしての審美性も高めることができる。
【００３３】
かかる吸収性物品であって、前記外装体の少なくとも一部の領域は、前記第１疎水性シート、前記第２疎水性シート及び前記親水性シートのみを有する領域であることが望ましい。
【００３４】
このような吸収性物品によれば、第１疎水性シート、第２疎水性シート及び親水性シートのみで構成される領域では、汗の吸収率及び汗の蒸散機能が最も高まり、肌側面のべたつきを抑制し、非肌側面から汗も蒸散され易くなるため、着用者はより快適に過ごすことができる。
【００３５】
＝＝＝実施形態＝＝＝
＜おむつ１の基本構成＞
以下、本発明に係る吸収性物品として、パンツ型使い捨ておむつ（以下、「おむつ１」とも呼ぶ）を例に挙げて実施形態を説明する。図１は、パンツ型使い捨ておむつ１（おむつ１）の概略斜視図である。図２は、展開且つ伸長状態のおむつ１を肌側から見た概略平面図である。図３は、図２中のＣ−Ｃ概略断面図である。
【００３６】
ここで、上述の「展開状態」とは、おむつ１の幅方向における、腹側胴回り部（後述する腹側胴回り部３０ａ）の両端部と、背側胴回り部（後述する背側胴回り部３０ｂ）の両端部との接合を解き、腹側胴回り部と背側胴回り部とを分離するとともに、おむつ１をその長手方向に開くことで、おむつ１を平面上に展開した状態のことである。また、おむつ１の「伸長状態」とは、おむつ１全体（製品全体）を皺なく伸長させた状態、具体的には、おむつ１を構成する各部材（例えば、後述する吸収性本体１０や，胴回り部３０等）の寸法がその部材単体の寸法と一致又はそれに近い寸法になるまで伸長させた状態のことを言う。
【００３７】
おむつ１は、図１に示されるパンツ型状態において、互いに交差する上下方向と幅方向と前後方向とを有している。また、同おむつ１は、所謂３ピースタイプであり、着用者の股間部にあてがわれ排泄液等の液体を吸収する吸収性本体１０と、同着用者の胴回りを覆う外装体３０とを有する。また、外装体３０は、腹側を覆う腹側胴回り部３０ａと、背側を覆う背側胴回り部３０ｂとを有している。上下方向の上側が外装体３０側に対応し、下側が股間部側に対応する。また、前後方向の前側が着用者の腹側に対応し、後側が着用者の背側に対応する。
【００３８】
そして、図２の展開状態において、おむつ１は、互いに交差する長手方向と、幅方向と、厚さ方向とを有する。以下では、この展開状態における長手方向の一方側のことを「腹側」若しくは「前側」とも呼び、長手方向の他方側のことを「背側」若しくは「後側」とも呼ぶ。展開状態の長手方向は、パンツ型状態の上下方向に沿った方向である。また、厚さ方向は、図３に示すように、おむつ１を構成する資材が積層された方向である。厚さ方向において着用者に接する側を肌側とし、その反対側を非肌側とする。
【００３９】
図２の展開状態では、腹側胴回り部３０ａ（図の長手方向前側）と背側胴回り部３０ｂ（図の長手方向後側）とが互いに長手方向に間隔をあけて平行に並んだ状態で、これらの間に吸収性本体１０が掛け渡されつつ、同吸収性本体１０の長手方向の各端部１０ｅａ，１０ｅｂがそれぞれ最寄りの胴回り部３０ａ，３０ｂに接合固定されており、その外観形状は平面視略Ｈ形状をなしている。そして、この状態から、吸収性本体１０がその長手方向の略中央部Ｃ１０を折り位置として二つ折りされる。この二つ折りの状態において互いに対向する腹側胴回り部３０ａと背側胴回り部３０ｂとが、着用者の脇腹に当接すべき部分である腹側胴回り部側縁部３０ａｅｓと、背側胴回り部側縁部３０ｂｅｓと（つまり、幅方向の各端部）にて接合・連結されると、これら胴回り部３０ａ，３０ｂ同士が環状に成形される。これにより、図１に示すような胴周り開口ＢＨ及び一対の脚周り開口ＬＨが形成された着用状態のおむつ１となる。また、以下の説明では、開口ＢＨの環状開口部を形成する腹側胴回り部３０ａの長手方向の端を腹側胴回り部上端３０ａｅｔとし、開口ＢＨの環状開口部を形成する背側胴回り部３０ｂの長手方向の端を背側胴回り部上端３０ｂｅｔとする。
【００４０】
以下、図１乃至図３を参照しつつ、おむつ１の３つの構成部品である吸収性本体１０、腹側胴回り部３０ａ、及び背側胴回り部３０ｂについて説明する。
【００４１】
＜吸収性本体１０の構成＞
図２及び図３に示すように、吸収性本体１０は、肌側面を形成する液透過性の表面シート部材１３と、非肌側面を形成する液不透過性の裏面シート部材１５と、これら両シート部材１３、１５間に介在するように配置された吸収性コア１１とを備えている。おむつ１では、吸収性コア１１は、液透過性のコアラップシート１２を有しているが、有さなくても良い。
【００４２】
吸収性コア１１は、液体吸収性素材を積層してなる部材であり、尿等の排泄物を吸収することができる。液体吸収性素材としては、例えば、パルプ繊維等の液体吸収性繊維を使用することができる。なお、吸収性コア１１は、液体吸収性粒状物として例えば高吸収性ポリマーを含有していても良いし、または、液体吸収性繊維及び液体吸収性粒状物以外の液体吸収性素材を含んでいても良い。
【００４３】
本実施形態の吸収性コア１１は、図２における長手方向の一方側に腹側端１１ａと、図２における長手方向の他方側に背側端１１ｂとを有する。そして、腹側端１１ａと背側端１１ｂとの間に、腹側端１１ａ及び背側端１１ｂよりも幅方向の幅が狭いくびれ部１１ｃを有する。これにより、吸収性コア１１は図２に示されるような平面視略砂時計形状となるように構成され、吸収性コア１１が着用者の股間にフィットしやすくなる。なお、吸収性コア１１の形状は、上記の平面視略砂時計形状に限らず、例えば、平面視略矩形形状でもよい。
【００４４】
表面シート部材１３は、吸収性コア１１を肌側から覆うシート状の部材であり、例えば吸収性コア１１よりも大きい平面サイズの液透過性の不織布である。また、裏面シート部材１５は、吸収性コア１１を非肌側から覆うシート状の部材であり、吸収性コア１１よりも大きい平面サイズのシートである。裏面シート部材１５の一例としては、ポリエチレン又はポリプロピレン等の液不透過性の防漏シート１５ａと、不織布等の外装シート１５ｂとが貼り合わされた二層構造のシートが挙げられる。そして、これら裏面シート部材１５と表面シート部材１３との間に吸収性コア１１を挟んだ状態において、吸収性コア１１の四辺から外側にはみ出す部分にて、裏面シート部材１５の防漏シート１５ａと表面シート部材１３とが額縁状に貼り合わされ、これにより、吸収性本体１０が概ね形成されている。
【００４５】
また、おむつ１では、図１乃至図３に示すように、外装シート１５ｂによって所謂立体ギャザーＬＳＧ及び脚回りギャザーＬＧが形成される。立体ギャザーＬＳＧは、表面シート部材１３の幅方向の各端部にそれぞれ起立して設けられた防漏壁部であり、他方、脚回りギャザーＬＧは、おむつ１の各脚周り開口ＬＨ、ＬＨに形成される脚周り伸縮部のことである。かかる外装シート１５ｂについて詳説すると、先ず、図３に示すように、外装シート１５ｂの幅方向の寸法は、防漏シート１５ａよりも十分大きくされており、すなわち、外装シート１５ｂは、防漏シート１５ａの幅方向の両側から幅方向に大きくはみ出している。そして、このはみ出した部分１５ｂｆが、吸収性本体１０の幅方向の端部１０ｅｓをなす位置を折り返し位置として幅方向の中央側に折り返されて、同折り返し位置の近傍に長手方向に沿って糸ゴム等の脚周り弾性部材１７が長手方向に伸長された状態で固定され、これにより、上記の脚回りギャザーＬＧが形成されている。
【００４６】
そして、幅方向の中央側に折り返された部分１５ｂｇは、更に幅方向の中央側へと延びていき、表面シート部材１３の幅方向の端部を覆う位置で、同端部に接合されている。そして、この端部に接合された部分よりも更に幅方向の先端側の部分が自由端部分ＬＳＧｆとして表面シート部材１３から起立可能となっている。また、自由端部分ＬＳＧｆの先端部には、長手方向に沿って糸ゴム等のＬＳＧ弾性部材１８が長手方向に伸長された状態で固定されている。自由端部分ＬＳＧｆは、同ＬＳＧ弾性部材１８から付与される収縮力によって長手方向に収縮して表面シート部材１３から起立し、これにより、同自由端部分ＬＳＧｆは立体ギャザーＬＳＧとして機能する。
【００４７】
なお、不図示であるが、場合によっては、表面シート部材１３と吸収性コア１１との間、又は、裏面シート部材１５と吸収性コア１１との間に、セカンドシートとしてティッシュペーパー等の液透過性シートを介装しても良い。
【００４８】
＜腹側胴回り部３０ａ及び背側胴回り部３０ｂの構成＞
図２に示すように、外装体３０の腹側胴回り部３０ａは、吸収性本体１０の長手方向の前側（一端側）に位置し、背側胴回り部３０ｂは、吸収性本体１０の長手方向の後側（他端側）に位置している。図４Ａは、図１中のＡ−Ａ線に沿った腹側の概略断面図であり、図４Ｂは、図１中のＡ−Ａ線に沿った背側の概略断面図である。図５Ａは、図１中のＢ−Ｂ線に沿った腹側の概略断面図であり、図５Ｂは、図１中のＢ−Ｂ線に沿った背側の概略断面図である。
【００４９】
図４Ａ及び図４Ｂに示すように、外装体３０の腹側胴回り部３０ａ及び背側胴回り部３０ｂは、それぞれ、厚さ方向において肌側に配置された第１疎水性シート３０１と、第１疎水性シート３０１よりも非肌側に配置された第２疎水性シート３０２と、第１疎水性シート３０１と第２疎水性シート３０２との間に設けられた親水性シート３０３とを備えている。第１疎水性シート３０１は、疎水性の繊維で構成された疎水性を有するシートであり、着用者の汗を透過させる。親水性シート３０３は、汗を吸収可能な親水性のシートであり、詳細については後述する。第２疎水性シート３０２は、第１疎水性シート３０１と同様に疎水性の繊維で構成された疎水性を有するシートであり、親水性シート３０３よりも非肌側に配置されることによって、汗の蒸散を促している。尚、本実施形態においては、腹側胴回り部３０ａ及び背側胴回り部３０ｂの双方に親水性シート３０３を設けているが、親水性シート３０３は、腹側胴回り部３０ａのみに、或いは、背側胴回り部３０ｂのみに設けてもよい。
【００５０】
ここで、上記の「疎水性」とは、各第１及び第２疎水性シート３０１、３０２の表面において液体が拡がらず、そして第１及び第２疎水性シート３０１、３０２の表面が９０°よりも大きい接触角を有することを意味する。接触角とは、水平面（水平な表面）を有する各第１及び第２疎水性シート３０１、３０２と当該水平面上に滴下された水（液滴）とを接触させた状態において、液体の輪郭曲線と当該水平面との交点における当該輪郭曲線の接線と、当該水平面とがなす角度である。各第１及び第２疎水性シート３０１、３０２の接触角は、９０°よりも大きく、疎水性の表面を有している。逆に、接触角が９０°よりも小さければ、親水度の高い親水性と判断され、親水性シート３０３は、その表面が９０°よりも小さい接触角を有している。
【００５１】
また、第２疎水性シート３０２は、図２、図４Ａ及び図４Ｂに示すように、腹側胴回り部上端３０ａｅｔ及び背側胴回り部上端３０ｂｅｔから上下方向の上側に延出し、腹側胴回り部上端３０ａｅｔ及び背側胴回り部上端３０ｂｅｔをそれぞれ折り返し位置として、胴周り開口ＢＨの周縁部に沿って第１疎水性シート３０１の肌対向面側に折り返される折り返し部分３０２Ｆを有している。本実施形態では、折り返し部分３０２Ｆは、吸収性本体１０の長手方向の前端及び後端を被覆しているが、被覆しないように折り返し部分３０２Ｆを短くしてもよい。
【００５２】
上述のように、親水性シート３０３を第１疎水性シート３０１と第２疎水性シート３０２との間に設けることで、まず、着用者の肌から出た汗は、第２疎水性シート３０２の折り返し部分３０２Ｆを通り、第１疎水性シート３０１を通過し、親水性シート３０３で吸収される。そして、吸収された汗は、さらに非肌側に位置する第２疎水性シート３０２を介して蒸散される。
【００５３】
また、外装体３０は、厚さ方向において、最も非肌側に配置される第２疎水性シート３０２と親水性シート３０３との間の一部に、液体は通さないが通気性のある素材からなる通気性フィルム（不図示）を設けてもよい。特に図４Ａ及び図４Ｂに示すような、おむつ１の幅方向の略中央部においては汗をかきやすく、且つ上下方向の下側に吸収性本体１０も存在することから蒸れやすいため、このような通気フィルムを設けることによって汗の蒸散をより促すこともできる。
【００５４】
通常、疎水性を有する各シート（ここでは疎水性シート３０１，３０２）の間に汗を吸収する親水性のシート（ここでは、親水性シート３０３）を配することによって、汗の吸収を速やかに行いつつ、親水性のシートが直接肌と接触しないことから、肌に対するべたつき感を低減できる。しかしながら、親水性のシートの汗の吸収量が多くなる場合等には、汗戻りする虞があった。
【００５５】
そこで、汗の吸収及び蒸散をさらに向上させるため、本発明に係る外装体３０は、例えば以下の構成を採用する。図５Ａ及び図５Ｂに示すように、外装体３０の少なくとも一部の領域においては、親水性シート３０３の非肌側面３０３ａと第２疎水性シート３０２の肌側面３０２ａとが接触している。そして、当該領域では、第１疎水性シート３０１の密度が、第２疎水性シート３０２の密度よりも高いことが好ましい。第１疎水性シート３０１よりも密度が低い第２疎水性シート３０２は通気性に優れ、親水性シート３０３で吸収された汗は、第２疎水性シート３０２側（非肌面側）から蒸散・気化され易くなる。また、肌側に配置される第１疎水性シート３０１および折り返し部分３０２Ｆは疎水性を有しているため、汗が通った後も肌側の表面がべたつかず、着用者は快適に過ごすことができる。
【００５６】
本実施形態でいう「密度」は、上述の通り、外装体３０の少なくとも一部の領域における密度であり、好ましくは、外装体３０のより広い領域で同様の密度関係を有する。当該少なくとも一部の領域は、例えば、腹側胴回り部３０ａ（背側胴回り部３０ｂ）において、図１又は図２に示すＢ−Ｂ線と親水性シート３０３とが交差する部分近傍の領域である。その領域にて、第１疎水性シート３０１、第２疎水性シート３０２及び親水性シート３０３からそれぞれ１ｃｍ角の試験片を採取し、密度の測定を行う。本実施形態では、各シートの密度の大小関係が確認できれば良いため、厳密な値を求める必要はなく、測定値に多少の誤差があっても許容される。
【００５７】
また、本実施形態において、第１疎水性シート３０１の密度は、０．０５〜０．１５ｇ／ｃｍ3の範囲内であることが望ましい。第１疎水性シート３０１の密度を高くすることにより、親水性シート３０３で吸収した汗を、肌側に位置する第１疎水性シート３０１側からでなく、粗密である故に通気性の優れた第２疎水性シート３０２側（非肌側）から蒸散させることを促進できる。
【００５８】
また、本実施形態において、親水性シート３０３の密度は、第１疎水性シート３０１の密度よりも高いことが望ましい。具体的には、親水性シート３０３の密度は、０．１５〜０．６ｇ／ｃｍ3の範囲内であることが望ましい。このようにすることで、親水性シート３０３の非肌側面３０３ａと第２疎水性シート３０２の肌側面３０２ａとが接触する領域においては、親水性シート３０３の密度が最も高く、第２疎水性シート３０２の密度が最も低くなる。すなわち、親水性シート３０３、第１疎水性シート３０１、第２疎水性シート３０２の順で密度が低くなっている。通常、汗は密度が高い方へと引き込まれることから、着用者の汗は、まず、第１疎水性シート３０１を通って親水性シート３０３側へ引き込まれ易くなる。汗の移行性を向上させることで、肌側面のべたつき等の不快感や皮膚トラブルを防止できる。そして、最も密度の低い第２疎水性シート３０２は通気性に優れているため、親水性シート３０３に吸収された汗は、親水性シート３０３よりも非肌側面に配置されている第２疎水性シート３０２側から蒸散され易い。そのような密度の関係により、汗がおむつ１から抜け易くなり、着用者は、汗をかいても快適に過ごすことができる。
【００５９】
また、第１疎水性シート３０１は、ポリエチレン（ＰＥ）及びポリプロピレン（ＰＰ）のうち、少なくともいずれか一方を含むことが望ましい。ポリエチレン及びポリプロピレンは吸水率が極めて低く、それらのいずれかを含むことで、汗が第１疎水性シート３０１を通過した後も第１疎水性シート３０１の表面はドライに保たれる。これにより、着用者がべたつき感を感じることなく、快適に過ごすことができる。
【００６０】
そして、汗の吸収を促すために、親水性シート３０３は、パルプ繊維を含むことが望ましく、親水性シート３０３として、パルプシートやティッシュ等を例示できる。それにより、親水性シート３０３の汗吸収性が向上し、第１疎水性シート３０１を通った汗が親水性シート３０３に速やかに吸収され、肌側に配置されている第１疎水性シート３０１の表面のべたつきを抑制できる。
【００６１】
また、親水性シート３０３は、汗を吸収した後でもシートの衛生を保つために、抗菌剤を含むことが望ましく、抗菌剤の例としては、塩化セチルピリジニウム又はカテキン等を含むことが望ましい。本実施形態では、親水性シート３０３を構成するパルプ繊維に上述の塩化セチルピリジニウム等を吸着させることで、抗菌性を付与している。これにより、汗に含まれる雑菌の繁殖を抑え、汗を吸収した親水性シート３０３を衛生的に保つことができる。
【００６２】
そして、第１疎水性シート３０１と親水性シート３０３とは、ホットメルト接着剤により、線状または点状に接合されている。ここで言うホットメルト接着剤とは、加熱によって溶融して流動状態で塗布可能となる熱可塑性接着剤のことである。第１疎水性シート３０１と親水性シート３０３とを接合することで両シートを一体化しつつも、線状又は点状に塗布されたホットメルト接着剤は、第１疎水性シート３０１からの汗の通過を必要以上に妨げず、また、親水性シート３０３を構成するパルプ繊維の吸収性を阻害しない。したがって、第１疎水性シート３０１及び親水性シート３０３本来の機能を阻害せずに汗を吸収でき、着用者に不快感を与えにくくすることができる。
【００６３】
図４Ａ及び図４Ｂに示す腹側胴回り部３０ａ及び背側胴回り部３０ｂは、第２疎水性シート３０２が、腹側胴回り部上端３０ａｅｔ及び背側胴回り部上端３０ｂｅｔをそれぞれ折り返し位置として折り返した折り返し部分３０２Ｆを有しているが、折り返さない構成であってもよい。つまり、第２疎水性シート３０２の上下方向の上端が、第１疎水性シート３０１の上下方向の上端と同じ位置で終端してもよい。そのような場合、外装体３０の腹側胴回り部３０ａ及び背側胴回り部３０ｂには、第１疎水性シート３０１、第２疎水性シート３０２及び親水性シート３０３のみを有する領域が形成される。第１疎水性シート３０１、第２疎水性シート３０２及び親水性シート３０３のみで構成される領域では、汗の吸収性及び汗の蒸散機能が最も高まり、肌側面（第１疎水性シート３０１の肌側面）のベタつきを抑制し、非肌側面（第２疎水性シート３０２の非肌側面）から汗も蒸散されやすくなるため、着用者はより快適に過ごすことができる。
【００６４】
また、図２に示すように、腹側胴回り部３０ａ及び背側胴回り部３０ｂには、幅方向に沿って糸ゴム等の複数本の弾性部材３５、３５・・・が幅方向に伸長された状態で配置されている。これにより、腹側胴回り部３０ａ及び背側胴回り部３０ｂには、それぞれ幅方向の伸縮性が付与されている。また、かかる複数本の弾性部材３５、３５・・・は、長手方向に間隔を空けて長手方向に並んで設けられている。本明細書中では、腹側胴回り部３０ａに設けられる弾性部材３５を腹側弾性部材３５ａとし、背側胴回り部３０ｂに設けられる弾性部材３５を背側弾性部材３５ｂとする。
【００６５】
図４Ａ及び図４Ｂに示すように、第１疎水性シート３０１と、第２疎水性シート３０２と、親水性シート３０３とが上下方向（長手方向）に重複する領域において、第１疎水性シート３０１と第２疎水性シート３０２との間に親水性シート３０３が位置し、各腹側弾性部材３５ａ及び各背側弾性部材３５ｂは、第１疎水性シート３０１と第２疎水性シート３０２との間に設けられている。このように各弾性部材３５ａ及び３５ｂを配置することで、第１疎水性シート３０１、親水性シート３０３、及び第２疎水性シート３０２が一体的に収縮し、着用者の肌に直接接触する面積を減少でき、弾性部材３５ａ及び３５ｂの跡が肌に付きにくくなり、不快感が軽減される。また、親水性シート３０３と上下方向に重なる領域に弾性部材が存在しない状態（親水性シート３０３が収縮せずに広がった状態）と比較して、親水性シート３０３が幅方向に収縮することで汗を吸収する親水性シート３０３の面積が増え、汗吸収性が向上し、着用者はより快適に過ごすことができる。
【００６６】
また、長手方向に並んで設けられる複数の弾性部材３５（３５ａ、３５ｂ）においては、図４Ａに例として示すように、長手方向（上下方向）に隣り合う二つの弾性部材３５ａ、３５ａの間の距離（Ｌ２）が、一つの弾性部材３５ａ自体の上下方向（長手方向）の長さ（Ｌ１）の２倍よりも長いことが望ましい。このような構成によれば、長手方向に隣り合う二つの弾性部材３５ａ、３５ａの間の距離（Ｌ２）を、弾性部材３５ａ自体の長手方向の長さ（Ｌ１）の２倍以下にする場合と比較して、弾性部材３５ａ自体の長手方向の長さ（Ｌ１）の２倍よりも長くする方が、長手方向において弾性部材３５ａ、３５ａ間に適度な空間が生まれ、各弾性部材３５ａが汗の吸収や蒸散を阻害せず、汗が抜け易くなる。
【００６７】
上述のように、親水性シート３０３は、パルプ繊維を含むことが望ましく、当該親水性シート３０３がティッシュである場合、図２に示すように、第１疎水性シート３０１と第２疎水性シート３０２との間において、ティッシュを幅方向の一端から他端にわたって連続して設けることができる（図２において網掛けのハッチングで示す領域を参照）。そして、着用状態のおむつ１（図１）を形成するために、腹側胴回り部３０ａの幅方向の一端部（腹側胴回り部側縁部３０ａｅｓの一方）と、背側胴回り部３０ｂの幅方向の一端部（背側帯部材側縁部３０ｂｅｓの一方）とを接合する第１接合部３１（図１）と、腹側胴回り部３０ａの幅方向の他端部（腹側胴回り部側縁部３０ａｅｓの他方）と、背側胴回り部３０ｂの幅方向の他端部（背側帯部材側縁部３０ｂｅｓの他方）とを接合する第２接合部３２（図１）が設けられる。第１接合部３１及び第２接合部３２を設ける際、幅方向の一端から他端にわたって連続して設けられている親水性シート３０３も一緒に接合されることとなるが、第１疎水性シート３０１と第２疎水性シート３０２との間に異素材である親水性シート３０３が存在すると、通常は、接合強度が低下することも考えられる。しかしながら、親水性シート３０３は、薄く、繊維の短いティッシュからなるため、腹側及び背側胴回り部３０ａ、３０ｂの幅方向の両端部を熱溶着（ヒートシール）等により接合させる際、接合部分でティッシュの繊維が容易に切断されることから、第１疎水性シート３０１と第２疎水性シート３０２とを確実に接合することができる。これにより、第１疎水性シート３０１と第２疎水性シート３０２との接合強度の低下を防止できる。
【００６８】
また、図５Ａ及び図５Ｂに示すような第１疎水性シート３０１と、親水性シート３０３と、第２疎水性シート３０２とが厚さ方向に見て重複する領域においては、第１疎水性シート３０１及び第２疎水性シート３０２の少なくとも一方は、開口（不図示）を有していてもよい。上述の「厚さ方向に見て重複する領域」とは、厚さ方向に見た場合に、図２の腹側胴回り部３０ａ及び背側胴回り部３０ｂにおいて親水性シート３０３が配置されている部分（網掛けのハッチングで示した親水性シート３０３の領域）と重複する領域を意味する。当該領域において、第１疎水性シート３０１のみが開口を有する場合、開口部分から汗を引き込み、親水性シート３０３側への汗の移行性を向上させる。それにより、第１疎水性シート３０１の表面のべたつき感が生じ難くなり、肌を快適に保つことができる。当該領域において、非肌側面である第２疎水性シート３０２のみが開口を有する場合には、汗の蒸散がより促され、肌を快適に保つことができる。また、第１疎水性シート３０１及び第２疎水性シート３０２の両方が開口を有する場合には、汗の吸収と蒸散の両方が促進され、着用者の肌をより快適に保つことができる。
【００６９】
また、望ましくは、親水性シート３０３が、第１疎水性シート３０１又は第２疎水性シート３０２の色とは異なる色の着色領域（不図示）を有していると良い。当該着色領域によって、汗を吸収可能な親水性シート３０３の存在を視覚的に認識させることができ、おむつとしての審美性も高めることができる。また、当該着色領域は、単に着色させた領域だけでなく、デザイン性のある絵柄や模様等を有していてもよい。
＝＝＝その他の実施の形態＝＝＝
【００７０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７１】
上述の実施形態では、吸収性物品の一例としてパンツ型使い捨ておむつ１を例示したが、何等これに限らない。例えば、テープ式の使い捨ておむつでも良い。また、パンツ型の使い捨ておむつ１として、展開状態において腹側胴回り部３０ａと背側胴回り部３０ｂとの間に吸収性本体１０が掛け渡されてなる所謂３ピースタイプのおむつを例示したが、展開状態において略砂時計形状の外装シートの肌側面に吸収性本体が載置されてなる所謂２ピースタイプのおむつでも良い。
【００７２】
上述の実施形態では、親水性シート３０３を幅方向の一端から他端にわたって連続して設けていたが、これに限定されない。親水性シート３０３は、幅方向の両端部（３０ａｅｓ、３０ｂｅｓ）から離間していてもよい。また、親水性シート３０３は、幅方向に連続的ではなく、間欠的に複数並んで設けられても良い。
【符号の説明】
【００７３】
１  おむつ（吸収性物品）、
１０  吸収性本体、１０ｅａ  端部、１０ｅｂ  端部、１０ｅｓ  端部、
１３  表面シート部材、１５  裏面シート部材、１５ｂｇ  折り返された部分、
１１  吸収性コア、１１ａ  腹側端、１１ｂ  背側端、
１１ｃ  くびれ部、
１２  コアラップシート、
１５ａ  防漏シート、１５ｂ  外装シート、
１７  脚周り弾性部材、
１８  ＬＳＧ弾性部材
３０  外装体、３０ａ  腹側胴回り部、３０ｂ  背側胴回り部、
３０ａｅｓ  腹側胴回り部側縁部、３０ｂｅｓ  背側胴回り部側縁部、
３０ａｅｔ  腹側胴回り部上端、３０ｂｅｔ  背側胴回り部上端、
３１  第１接合部、３２  第２接合部、
３５  弾性部材、３５ａ  腹側弾性部材、３５ｂ  背側弾性部材、
３０１  第１疎水性シート、
３０２  第２疎水性シート、３０２Ｆ  折り返し部分３０２、３０２ａ  肌側面、
３０３  親水性シート、３０３ａ  非肌側面、
Ｃ１０  略中央部
ＬＨ  脚周り開口、ＢＨ  胴周り開口、
ＬＳＧ  立体ギャザー、ＬＳＧｆ  自由端部分
【図１】
2020127538.tif 000003
【図２】
2020127538.tif 000004
【図３】
2020127538.tif 000005
【図４】
2020127538.tif 000006
【図５】
2020127538.tif 000007